(57)【要約】【課題】文字集合が異なる装置間の連携を図る。【解決手段】モダリティでは、医用画像の画像データに、文字情報をヘッダ情報として付帯させ、ＤＩＣＯＭ画像ファイルを生成する（ステップＳ３）。次に、ＤＩＣＯＭ画像ファイルのヘッダ情報から第１の文字情報を抽出し、第１の文字情報に基づいて、オーバーレイ用のピクセルデータを生成する（ステップＳ４）。そして、ＤＩＣＯＭ画像ファイルのヘッダ情報から画像サーバが対応不可能な文字集合で記述された第２の文字情報を削除し（ステップＳ５）、オーバーレイ用のピクセルデータをＤＩＣＯＭ画像ファイルのヘッダ情報に書き込み（ステップＳ６）、編集後のＤＩＣＯＭ画像ファイルを画像サーバに送信する（ステップＳ７）。画像ビューア端末では、医用画像を表示するとともに、第１の文字情報をオーバーレイ表示する（ステップＳ１０）。【選択図】図６
2012183203.tif 000002
【特許請求の範囲】
【請求項１】
医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する生成手段と、
前記ヘッダ情報から送信先機器が対応不可能な文字集合で記述された第２の文字情報を削除する削除手段と、
前記オーバーレイ用のピクセルデータを、前記ヘッダ情報から前記第２の文字情報が削除されたＤＩＣＯＭ画像ファイルと対応付けて前記送信先機器に送信する制御手段と、
を備え、
前記第１の文字情報は、少なくとも前記第２の文字情報の一部を含む医用情報処理装置。
【請求項２】
前記第１の文字情報は、英数字以外の文字情報を含む、
請求項１に記載の医用情報処理装置。
【請求項３】
前記制御手段は、前記オーバーレイ用のピクセルデータを、前記ヘッダ情報から前記第２の文字情報が削除されたＤＩＣＯＭ画像ファイルのヘッダ情報に書き込むことにより、前記オーバーレイ用のピクセルデータを、前記ヘッダ情報から前記第２の文字情報が削除されたＤＩＣＯＭ画像ファイルと対応付ける、
請求項１又は２に記載の医用情報処理装置。
【請求項４】
前記制御手段は、前記オーバーレイ用のピクセルデータと、前記ヘッダ情報から前記第２の文字情報が削除されたＤＩＣＯＭ画像ファイルを特定するための情報と、を含むＧＳＰＳファイルを生成することにより、前記オーバーレイ用のピクセルデータを、前記ヘッダ情報から前記第２の文字情報が削除されたＤＩＣＯＭ画像ファイルと対応付ける、
請求項１又は２に記載の医用情報処理装置。
【請求項５】
医用画像の画像データとヘッダ情報とを含むＤＩＣＯＭ画像ファイルを取得する取得手段と、
入力手段から入力された文字情報に基づいて、オーバーレイ用のピクセルデータを生成する生成手段と、
前記オーバーレイ用のピクセルデータを前記ＤＩＣＯＭ画像ファイルと対応付けて送信先機器に送信する制御手段と、
を備え、
前記入力手段から入力された文字情報は、前記送信先機器が対応不可能な文字集合で記述された文字情報を含む医用情報処理装置。
【請求項６】
前記入力手段から入力された文字情報は、英数字以外の文字情報を含む、
請求項５に記載の医用情報処理装置。
【請求項７】
前記制御手段は、前記オーバーレイ用のピクセルデータを前記ＤＩＣＯＭ画像ファイルのヘッダ情報に書き込むことにより、前記オーバーレイ用のピクセルデータを前記ＤＩＣＯＭ画像ファイルと対応付ける、
請求項５又は６に記載の医用情報処理装置。
【請求項８】
前記制御手段は、前記オーバーレイ用のピクセルデータと、前記ＤＩＣＯＭ画像ファイルを特定するための情報と、を含むＧＳＰＳファイルを生成することにより、前記オーバーレイ用のピクセルデータを前記ＤＩＣＯＭ画像ファイルと対応付ける、
請求項５又は６に記載の医用情報処理装置。
【請求項９】
医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する工程と、
前記ヘッダ情報から送信先機器が対応不可能な文字集合で記述された第２の文字情報を削除する工程と、
前記オーバーレイ用のピクセルデータを、前記ヘッダ情報から前記第２の文字情報が削除されたＤＩＣＯＭ画像ファイルと対応付けて前記送信先機器に送信する工程と、
を含み、
前記第１の文字情報は、少なくとも前記第２の文字情報の一部を含む医用情報処理方法。
【請求項１０】
医用画像の画像データとヘッダ情報とを含むＤＩＣＯＭ画像ファイルを取得する工程と、
入力手段から入力された文字情報に基づいて、オーバーレイ用のピクセルデータを生成する工程と、
前記オーバーレイ用のピクセルデータを前記ＤＩＣＯＭ画像ファイルと対応付けて送信先機器に送信する工程と、
を含み、
前記入力手段から入力された文字情報は、前記送信先機器が対応不可能な文字集合で記述された文字情報を含む医用情報処理方法。
【請求項１１】
コンピュータを、
医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する生成手段、
前記ヘッダ情報から送信先機器が対応不可能な文字集合で記述された第２の文字情報を削除する削除手段、
前記オーバーレイ用のピクセルデータを、前記ヘッダ情報から前記第２の文字情報が削除されたＤＩＣＯＭ画像ファイルと対応付けて前記送信先機器に送信する制御手段、
として機能させるためのプログラムであって、
前記第１の文字情報は、少なくとも前記第２の文字情報の一部を含むプログラム。
【請求項１２】
コンピュータを、
医用画像の画像データとヘッダ情報とを含むＤＩＣＯＭ画像ファイルを取得する取得手段、
入力手段から入力された文字情報に基づいて、オーバーレイ用のピクセルデータを生成する生成手段、
前記オーバーレイ用のピクセルデータを前記ＤＩＣＯＭ画像ファイルと対応付けて送信先機器に送信する制御手段、
として機能させるためのプログラムであって、
前記入力手段から入力された文字情報は、前記送信先機器が対応不可能な文字集合で記述された文字情報を含むプログラム。
【発明の詳細な説明】
【技術分野】
【０００１】
本発明は、医用情報処理装置、医用情報処理方法及びプログラムに関する。
【背景技術】
【０００２】
近年、医療施設内の各装置のマルチベンダ化が進んでおり、装置毎に使用可能な文字の範囲（文字集合）が定められている。文字集合とは、国際標準や工業規格で定められている、文字の集まりである。文字集合の種類として、ＩＳＯ＿ＩＲ  ６（英数字）、ＩＳＯ＿ＩＲ  １００（ラテン１（西ヨーロッパ））、ＩＳＯ＿ＩＲ  １０１（ラテン２（東ヨーロッパ））、ＩＳＯ  ２０２２  ＩＲ  ８７（ひらがな、カタカナ、第一水準漢字、第二水準漢字）、ＧＢ１８０３０（簡体字中国語他）、ＩＳＯ＿ＩＲ  １９２（繁体字中国語他）等が挙げられる。
【０００３】
グローバルな機器であれば、各国の文字に対応していることが理想であるが、欧米の機器の多くは、ＩＳＯ＿ＩＲ  ６とＩＳＯ＿ＩＲ  １００の対応に留まっている。中国、台湾、韓国、タイ等の国では、医療装置を欧米からの輸入に頼っており、自国文字に未対応の装置を使用せざるをえない。医療装置を自国で製造している日本でも、一部の漢字が使えない等、不十分なシステムが多い。
【０００４】
ＤＩＣＯＭ（Digital Imaging and Communications in Medicine）規格に則ったＤＩＣＯＭ画像ファイルは、医用画像の画像データと、文字情報からなるヘッダ情報と、を併せた形式のファイルである。多くの画像ビューア端末では、ヘッダ情報（文字情報）を解釈し、医用画像上に文字情報をオーバーレイとして表示することが実現されている。
【０００５】
例えば、撮影画像に文字情報を併せて出力する画像処理装置において、出力先に従って画像の拡大縮小率を算定し、最適なフォントサイズ、フォントタイプにより文字情報を出力するものが提案されている（特許文献１参照）。
【先行技術文献】
【特許文献】
【０００６】
【特許文献１】特開２００２−１９０９３７号公報
【発明の概要】
【発明が解決しようとする課題】
【０００７】
しかしながら、画像ビューア端末が解釈できない文字情報を含むＤＩＣＯＭ画像ファイルの場合、ファイル内の画像データを読み出すこともできなかったり、文字化けが発生したりするという問題があった。
画像ビューア端末が対応可能な文字集合によらずＤＩＣＯＭ画像ファイルを扱うために、ＤＩＣＯＭ画像ファイルに含まれる文字情報を英数字（ＡＳＣＩＩ）に限定する等、文字情報を絞り込めば、ＤＩＣＯＭ画像ファイル内の文字情報を解釈できないために画像の表示すらできないという問題は解消されるが、本来ＤＩＣＯＭ画像ファイルが有していた文字情報を失うことになる。
このように、文字集合が異なる装置間では、一方の装置が有する全ての情報を他方の装置に伝えることができず、情報の連携を図ることが困難であった。
【０００８】
本発明は上記の従来技術における問題に鑑みてなされたものであって、文字集合が異なる装置間の連携を図ることを課題とする。
【課題を解決するための手段】
【０００９】
上記課題を解決するために、請求項１に記載の発明は、医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する生成手段と、前記ヘッダ情報から送信先機器が対応不可能な文字集合で記述された第２の文字情報を削除する削除手段と、前記オーバーレイ用のピクセルデータを、前記ヘッダ情報から前記第２の文字情報が削除されたＤＩＣＯＭ画像ファイルと対応付けて前記送信先機器に送信する制御手段と、を備え、前記第１の文字情報は、少なくとも前記第２の文字情報の一部を含む医用情報処理装置である。
【００１０】
請求項２に記載の発明は、請求項１に記載の医用情報処理装置において、前記第１の文字情報は、英数字以外の文字情報を含む。
【００１１】
請求項３に記載の発明は、請求項１又は２に記載の医用情報処理装置において、前記制御手段は、前記オーバーレイ用のピクセルデータを、前記ヘッダ情報から前記第２の文字情報が削除されたＤＩＣＯＭ画像ファイルのヘッダ情報に書き込むことにより、前記オーバーレイ用のピクセルデータを、前記ヘッダ情報から前記第２の文字情報が削除されたＤＩＣＯＭ画像ファイルと対応付ける。
【００１２】
請求項４に記載の発明は、請求項１又は２に記載の医用情報処理装置において、前記制御手段は、前記オーバーレイ用のピクセルデータと、前記ヘッダ情報から前記第２の文字情報が削除されたＤＩＣＯＭ画像ファイルを特定するための情報と、を含むＧＳＰＳファイルを生成することにより、前記オーバーレイ用のピクセルデータを、前記ヘッダ情報から前記第２の文字情報が削除されたＤＩＣＯＭ画像ファイルと対応付ける。
【００１３】
請求項５に記載の発明は、医用画像の画像データとヘッダ情報とを含むＤＩＣＯＭ画像ファイルを取得する取得手段と、入力手段から入力された文字情報に基づいて、オーバーレイ用のピクセルデータを生成する生成手段と、前記オーバーレイ用のピクセルデータを前記ＤＩＣＯＭ画像ファイルと対応付けて送信先機器に送信する制御手段と、を備え、前記入力手段から入力された文字情報は、前記送信先機器が対応不可能な文字集合で記述された文字情報を含む医用情報処理装置である。
【００１４】
請求項６に記載の発明は、請求項５に記載の医用情報処理装置において、前記入力手段から入力された文字情報は、英数字以外の文字情報を含む。
【００１５】
請求項７に記載の発明は、請求項５又は６に記載の医用情報処理装置において、前記制御手段は、前記オーバーレイ用のピクセルデータを前記ＤＩＣＯＭ画像ファイルのヘッダ情報に書き込むことにより、前記オーバーレイ用のピクセルデータを前記ＤＩＣＯＭ画像ファイルと対応付ける。
【００１６】
請求項８に記載の発明は、請求項５又は６に記載の医用情報処理装置において、前記制御手段は、前記オーバーレイ用のピクセルデータと、前記ＤＩＣＯＭ画像ファイルを特定するための情報と、を含むＧＳＰＳファイルを生成することにより、前記オーバーレイ用のピクセルデータを前記ＤＩＣＯＭ画像ファイルと対応付ける。
【００１７】
請求項９に記載の発明は、医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する工程と、前記ヘッダ情報から送信先機器が対応不可能な文字集合で記述された第２の文字情報を削除する工程と、前記オーバーレイ用のピクセルデータを、前記ヘッダ情報から前記第２の文字情報が削除されたＤＩＣＯＭ画像ファイルと対応付けて前記送信先機器に送信する工程と、を含み、前記第１の文字情報は、少なくとも前記第２の文字情報の一部を含む医用情報処理方法である。
【００１８】
請求項１０に記載の発明は、医用画像の画像データとヘッダ情報とを含むＤＩＣＯＭ画像ファイルを取得する工程と、入力手段から入力された文字情報に基づいて、オーバーレイ用のピクセルデータを生成する工程と、前記オーバーレイ用のピクセルデータを前記ＤＩＣＯＭ画像ファイルと対応付けて送信先機器に送信する工程と、を含み、前記入力手段から入力された文字情報は、前記送信先機器が対応不可能な文字集合で記述された文字情報を含む医用情報処理方法である。
【００１９】
請求項１１に記載の発明は、コンピュータを、医用画像の画像データとヘッダ情報とを含むＤＩＣＯＭ画像ファイルの前記ヘッダ情報から予め定められた第１の文字情報を抽出し、当該抽出された第１の文字情報に基づいて、オーバーレイ用のピクセルデータを生成する生成手段、前記ヘッダ情報から送信先機器が対応不可能な文字集合で記述された第２の文字情報を削除する削除手段、前記オーバーレイ用のピクセルデータを、前記ヘッダ情報から前記第２の文字情報が削除されたＤＩＣＯＭ画像ファイルと対応付けて前記送信先機器に送信する制御手段、として機能させるためのプログラムであって、前記第１の文字情報は、少なくとも前記第２の文字情報の一部を含むプログラムである。
【００２０】
請求項１２に記載の発明は、コンピュータを、医用画像の画像データとヘッダ情報とを含むＤＩＣＯＭ画像ファイルを取得する取得手段、入力手段から入力された文字情報に基づいて、オーバーレイ用のピクセルデータを生成する生成手段、前記オーバーレイ用のピクセルデータを前記ＤＩＣＯＭ画像ファイルと対応付けて送信先機器に送信する制御手段、として機能させるためのプログラムであって、前記入力手段から入力された文字情報は、前記送信先機器が対応不可能な文字集合で記述された文字情報を含むプログラムである。
【発明の効果】
【００２１】
本発明によれば、文字集合が異なる装置間の連携を図ることができる。
【図面の簡単な説明】
【００２２】
【図１】医用画像システムのシステム構成図である。
【図２】モダリティの機能的構成を示すブロック図である。
【図３】（ａ）は、ＤＩＣＯＭ画像ファイルの構成を示す図である。（ｂ）は、編集後のＤＩＣＯＭ画像ファイルのデータ構成を示す図である。
【図４】画像サーバの機能的構成を示すブロック図である。
【図５】画像ビューア端末の機能的構成を示すブロック図である。
【図６】第１の実施の形態における処理を示すラダーチャートである。
【図７】ＤＩＣＯＭ画像ファイルのヘッダ情報の例を示す図である。
【図８】ＤＩＣＯＭタグ（０００８，０００５）に記述される内容と、その意味する特定文字集合との対応関係を示す図である。
【図９】第２の文字情報が削除された後のヘッダ情報の例を示す図である。
【図１０】（ａ）は、医用画像の画像データの例である。（ｂ）は、オーバーレイ用のピクセルデータの例である。（ｃ）は、医用画像上に文字情報がオーバーレイ表示された状態の例である。
【図１１】ＧＳＰＳファイルにより、ＤＩＣＯＭ画像ファイルとオーバーレイ用のピクセルデータとを対応付ける場合の例である。
【図１２】第２の実施の形態における処理を示すラダーチャートである。
【図１３】第３の実施の形態における処理を示すラダーチャートである。
【発明を実施するための形態】
【００２３】
［第１の実施の形態］
まず、本発明の第１の実施の形態について説明する。
図１に、医用画像システム１００のシステム構成を示す。図１に示すように、医用画像システム１００は、ＲＩＳ（Radiological Information System：放射線情報システム）１０と、モダリティ２０と、画像サーバ３０と、画像ビューア端末４０と、図示しないその他の装置とから構成されており、各装置は通信ネットワークＮを介してデータ通信可能に接続されている。
【００２４】
第１の実施の形態は、ＲＩＳ１０及びモダリティ２０については中国語が対応可能であり、画像サーバ３０及び画像ビューア端末４０については英数字のみ対応可能である場合等、モダリティ２０が対応可能な文字集合と画像サーバ３０が対応可能な文字集合とが異なる場合の例である。
第１の実施の形態においては、モダリティ２０が本発明に係る医用情報処理装置である。すなわち、モダリティ２０において、オーバーレイ用のピクセルデータが生成される。
【００２５】
ＲＩＳ１０は、放射線科部門内における診療予約、診断結果のレポート、実績管理、材料在庫管理等の情報管理を行う。ＲＩＳ１０は、ＣＰＵ（Central Processing Unit）及びＲＡＭ（Random Access Memory）等により構成される制御部、ハードディスク等の記憶部、外部機器とのデータ通信を行う通信部等を備える。ＲＩＳ１０は、モダリティ２０における検査を依頼するための検査依頼情報を作成する。本実施の形態では、検査依頼情報として、ＤＩＣＯＭ規格に準拠したモダリティワークリスト（Modality WorkList：ＭＷＬ）を作成する場合について説明する。ＲＩＳ１０は、モダリティ２０からモダリティワークリストの取得要求（ＤＩＣＯＭ規格に則ったＣ−ＦＩＮＤ要求）を受信すると、取得要求に含まれるＡＥタイトルに基づいて、当該ＡＥタイトルに対応するモダリティワークリストをモダリティ２０に送信する。
【００２６】
モダリティワークリストには、特定文字集合、ＡＥ（Application Entity）タイトル、モダリティ種、撮影条件情報（部位、方向、左右、管電圧、管電流、機材等）、検査情報（検査インスタンスＵＩＤ、検査日付、検査記述、検査コメント等）、患者情報（患者ＩＤ、患者名、生年月日、性別、患者コメント等）等が含まれる。
【００２７】
モダリティ２０は、患者を撮影する画像撮影装置である。モダリティ２０としては、ＣＲ（Computed Radiography）装置、ＣＴ（Computed Tomography）装置、ＭＲＩ（Magnetic Resonance Imaging）装置等が用いられる。
【００２８】
図２に、モダリティ２０の機能的構成を示す。図２に示すように、モダリティ２０は、制御部２１、操作部２２、表示部２３、通信部２４、ＲＯＭ（Read Only Memory）２５、記憶部２６、撮影部２７を備えて構成され、各部はバス２８により接続されている。
【００２９】
制御部２１は、ＣＰＵ、ＲＡＭ等から構成され、モダリティ２０の各部の処理動作を統括的に制御する。具体的には、ＣＰＵは、操作部２２から入力される操作信号又は通信部２４により受信される指示信号に応じて、ＲＯＭ２５に記憶されている各種処理プログラムを読み出し、ＲＡＭ内に形成されたワークエリアに展開し、当該プログラムとの協働により各種処理を行う。
【００３０】
操作部２２は、カーソルキー、文字入力キー、及び各種機能キー等を備えたキーボードと、マウス等のポインティングデバイスを備えて構成され、キーボードに対するキー操作やマウス操作により入力された操作信号を制御部２１に出力する。
【００３１】
表示部２３は、ＬＣＤ（Liquid Crystal Display）により構成され、制御部２１から入力される表示データに基づいて各種画面を表示する。
【００３２】
通信部２４は、ＬＡＮ（Local Area Network）アダプタ、ルータ、ＴＡ（Terminal Adapter）等を備え、通信ネットワークＮを介して接続されたＲＩＳ１０、画像サーバ３０等の外部機器との間でデータの送受信を行う。
【００３３】
ＲＯＭ２５は、不揮発性の半導体メモリ等により構成され、各種処理プログラム、当該プログラムの実行に必要なパラメータやファイル等を記憶している。
【００３４】
記憶部２６は、半導体メモリやハードディスク等から構成される記憶装置である。記憶部２６には、ＲＩＳ１０から取得したモダリティワークリストや、ＤＩＣＯＭ画像ファイル等が記憶される。図３（ａ）に示すように、ＤＩＣＯＭ画像ファイルは、医用画像の画像データ（以下、医用画像データという。）にヘッダ情報が付帯されている。
【００３５】
ヘッダ情報は、患者情報、検査情報、シリーズ情報及び画像情報を含む。患者情報は、患者ＩＤ、患者名、性別、生年月日、年齢、身長、体重等の患者に関する情報である。検査情報は、検査を識別する検査インスタンスＵＩＤ、検査日、検査時刻、受付番号、担当医師名等の検査に関する情報である。シリーズ情報は、シリーズを識別するシリーズインスタンスＵＩＤ、モダリティ名（検査種）、検査部位、シリーズ番号等の、一つの検査の中で生成されるモダリティ毎の一連の医用画像の単位（シリーズ）に関する情報である。画像情報は、画像を識別するＳＯＰインスタンスＵＩＤ、画像番号等の医用画像に関する情報である。
【００３６】
また、記憶部２６には、ＤＩＣＯＭ画像ファイルのヘッダ情報に含まれる文字情報のうち、オーバーレイ化される抽出項目（第１の文字情報として抽出される項目）が記憶されている。
また、記憶部２６には、画像サーバ３０が対応可能な文字集合が記憶されている。
【００３７】
撮影部２７は、患者の診断対象部位を被写体として撮影を行い、撮影した画像をデジタル変換して医用画像データを生成する。
【００３８】
制御部２１は、モダリティ２０のＡＥタイトルに基づいて、モダリティ２０において行われる検査についてのモダリティワークリストの取得要求（ＤＩＣＯＭ規格に則ったＣ−ＦＩＮＤ要求）を、通信部２４を介してＲＩＳ１０に送信する。制御部２１は、通信部２４を介してＲＩＳ１０からモダリティワークリストを取得する。
【００３９】
制御部２１は、取得されたモダリティワークリストに基づいて、撮影部２７を制御し、患者の診断対象部位の撮影を行わせ、撮影により得られた医用画像データを取得する。制御部２１は、モダリティワークリストに基づいて、医用画像データにＤＩＣＯＭ規格に則ってヘッダ情報を付帯させ、ＤＩＣＯＭ画像ファイルを生成する。
【００４０】
制御部２１は、記憶部２６に記憶されている抽出項目に基づいて、ＤＩＣＯＭ画像ファイルのヘッダ情報から予め定められた第１の文字情報（患者名、患者コメント、検査記述等）を抽出し、抽出された第１の文字情報に基づいて、オーバーレイ用のピクセルデータ（以下、オーバーレイデータという。）を生成する。オーバーレイデータは、モノクロ又はＲＧＢカラーのビットマップとして表現される。第１の文字情報には、少なくとも、送信先機器（画像サーバ３０）が対応不可能な文字集合で記述された文字情報（第２の文字情報）の一部が含まれる。また、第１の文字情報には、英数字以外の文字情報（日本語、中国語、韓国語等。ただし、モダリティ２０が対応可能な文字集合で記述されたもの。）が含まれる。
【００４１】
制御部２１は、記憶部２６に記憶されている画像サーバ３０が対応可能な文字集合に基づいて、ＤＩＣＯＭ画像ファイルのヘッダ情報から送信先機器（画像サーバ３０）が対応不可能な文字集合で記述された第２の文字情報を削除する。
【００４２】
制御部２１は、オーバーレイデータを、ヘッダ情報から第２の文字情報が削除されたＤＩＣＯＭ画像ファイルと対応付けて送信先機器（画像サーバ３０）に送信する。具体的には、制御部２１は、オーバーレイデータを、ヘッダ情報から第２の文字情報が削除されたＤＩＣＯＭ画像ファイルのヘッダ情報に書き込むことにより、オーバーレイデータを、ヘッダ情報から第２の文字情報が削除されたＤＩＣＯＭ画像ファイルと対応付ける。そして、制御部２１は、ヘッダ情報にオーバーレイデータが書き込まれたＤＩＣＯＭ画像ファイル（編集後のＤＩＣＯＭ画像ファイル）を、通信部２４を介して画像サーバ３０に送信する。図３（ｂ）に、編集後のＤＩＣＯＭ画像ファイルのデータ構成を示す。医用画像データに、ヘッダ情報として、患者情報、検査情報等の文字情報と、オーバーレイデータとが付帯されている。なお、編集後のＤＩＣＯＭ画像ファイルのヘッダ情報からは、第２の文字情報が削除されている。
【００４３】
画像サーバ３０は、ＰＡＣＳ（Picture Archiving and Communication System）により構成され、モダリティ２０から送信されるＤＩＣＯＭ画像ファイル等を記憶し、管理する。画像サーバ３０は、外部機器からＤＩＣＯＭ画像ファイルの取得要求を受信した場合、当該取得要求に応じたＤＩＣＯＭ画像ファイルを当該外部機器に送信する。
【００４４】
図４に、画像サーバ３０の機能的構成を示す。図４に示すように、画像サーバ３０は、制御部３１、操作部３２、表示部３３、通信部３４、ＲＯＭ３５、記憶部３６を備えて構成され、各部はバス３７により接続されている。
【００４５】
制御部３１は、ＣＰＵ、ＲＡＭ等から構成され、画像サーバ３０の各部の処理動作を統括的に制御する。具体的には、ＣＰＵは、操作部３２から入力される操作信号又は通信部３４により受信される指示信号に応じて、ＲＯＭ３５に記憶されている各種処理プログラムを読み出し、ＲＡＭ内に形成されたワークエリアに展開し、当該プログラムとの協働により各種処理を行う。
【００４６】
操作部３２は、カーソルキー、文字入力キー、及び各種機能キー等を備えたキーボードと、マウス等のポインティングデバイスを備えて構成され、キーボードに対するキー操作やマウス操作により入力された操作信号を制御部３１に出力する。
【００４７】
表示部３３は、ＬＣＤにより構成され、制御部３１から入力される表示データに基づいて各種画面を表示する。
【００４８】
通信部３４は、ＬＡＮアダプタ、ルータ、ＴＡ等を備え、通信ネットワークＮを介して接続されたモダリティ２０、画像ビューア端末４０等の外部機器との間でデータの送受信を行う。
【００４９】
ＲＯＭ３５は、不揮発性の半導体メモリ等により構成され、各種処理プログラム、当該プログラムの実行に必要なパラメータやファイル等を記憶している。
【００５０】
記憶部３６は、半導体メモリやハードディスク等から構成される記憶装置である。記憶部３６には、モダリティ２０から取得したＤＩＣＯＭ画像ファイル等が記憶される。
【００５１】
画像ビューア端末４０は、ＰＣ（Personal Computer）により構成され、画像サーバ３０にＤＩＣＯＭ画像ファイルの取得要求を送信し、当該取得要求に応じたＤＩＣＯＭ画像ファイルを取得する。そして、画像ビューア端末４０は、取得されたＤＩＣＯＭ画像ファイルに基づいて、医用画像等を表示する。
【００５２】
図５に、画像ビューア端末４０の機能的構成を示す。図５に示すように、画像ビューア端末４０は、制御部４１、操作部４２、表示部４３、通信部４４、ＲＯＭ４５、記憶部４６を備えて構成され、各部はバス４７により接続されている。
【００５３】
制御部４１は、ＣＰＵ、ＲＡＭ等から構成され、画像ビューア端末４０の各部の処理動作を統括的に制御する。具体的には、ＣＰＵは、操作部４２から入力される操作信号又は通信部４４により受信される指示信号に応じて、ＲＯＭ４５に記憶されている各種処理プログラムを読み出し、ＲＡＭ内に形成されたワークエリアに展開し、当該プログラムとの協働により各種処理を行う。
【００５４】
操作部４２は、カーソルキー、文字入力キー、及び各種機能キー等を備えたキーボードと、マウス等のポインティングデバイスを備えて構成され、キーボードに対するキー操作やマウス操作により入力された操作信号を制御部４１に出力する。
【００５５】
表示部４３は、ＬＣＤにより構成され、制御部４１から入力される表示データに基づいて各種画面を表示する。
【００５６】
通信部４４は、ＬＡＮアダプタ、ルータ、ＴＡ等を備え、通信ネットワークＮを介して接続された画像サーバ３０等の外部機器との間でデータの送受信を行う。
【００５７】
ＲＯＭ４５は、不揮発性の半導体メモリ等により構成され、各種処理プログラム、当該プログラムの実行に必要なパラメータやファイル等を記憶している。
【００５８】
記憶部４６は、半導体メモリやハードディスク等から構成される記憶装置である。
【００５９】
次に、医用画像システム１００の各装置における動作について説明する。
図６は、ＲＩＳ１０、モダリティ２０、画像サーバ３０及び画像ビューア端末４０において実行される処理を示すラダーチャートである。モダリティ２０における処理は、制御部２１と、ＲＯＭ２５に記憶されているプログラムとの協働によるソフトウェア処理によって実現される。
【００６０】
まず、ＲＩＳ１０では、ユーザの操作により、患者リストの中から検査対象患者が選択され、患者情報、撮影条件情報等を含むモダリティワークリストが作成される（ステップＳ１）。
【００６１】
モダリティ２０では、制御部２１により、モダリティ２０のＡＥタイトルに基づいて、モダリティ２０において行われる検査についてのモダリティワークリストの取得要求が、通信部２４を介してＲＩＳ１０に送信される。そして、制御部２１により、通信部２４を介してＲＩＳ１０からモダリティワークリストが取得される（ステップＳ２）。
【００６２】
次に、制御部２１により、取得されたモダリティワークリストに基づいて、撮影部２７が制御されて、患者の診断対象部位の撮影が実施され、医用画像データが取得される。そして、制御部２１により、モダリティワークリストに含まれる文字情報が医用画像データにヘッダ情報として付帯され、ＤＩＣＯＭ画像ファイルが生成される（ステップＳ３）。
【００６３】
図７に、ステップＳ３で生成されたＤＩＣＯＭ画像ファイルのヘッダ情報５０の例を示す。
図８に、ＤＩＣＯＭタグ（０００８，０００５）に記述される内容（ＩＳＯ＿ＩＲ  １００等）と、その意味する特定文字集合（ラテン１（西ヨーロッパ）等）との対応関係を示す。
図７に示すＤＩＣＯＭタグ（０００８，０００５）に記述されているように、特定文字集合５１は「ＧＢ１８０３０」であるから、このヘッダ情報５０は「簡体字中国語他」で記述されていることがわかる。
【００６４】
次に、制御部２１により、記憶部２６に記憶されている抽出項目に基づいて、ＤＩＣＯＭ画像ファイルのヘッダ情報から第１の文字情報が抽出され、抽出された第１の文字情報に基づいて、オーバーレイデータが生成される（ステップＳ４）。
例えば、図７に示すヘッダ情報５０から、患者名の漢字表記部分５２、患者コメント５３、検査記述５４が抽出され、抽出された文字情報に基づいて、オーバーレイデータが生成される（図１０（ｂ）参照）。なお、患者コメント５３は、「感染症の疑いがあります」という意味であり、検査記述５４は、「胸部の撮影をお願いします」という意味である。
【００６５】
次に、制御部２１により、記憶部２６に記憶されている画像サーバ３０が対応可能な文字集合に基づいて、ＤＩＣＯＭ画像ファイルのヘッダ情報から画像サーバ３０が対応不可能な文字集合で記述された第２の文字情報が削除される（ステップＳ５）。
例えば、画像サーバ３０が対応可能な文字集合が「空欄（英数字）」である場合に、図７に示すヘッダ情報５０から、患者名の漢字表記部分５２、患者コメント５３、検査記述５４が削除される。図９に、第２の文字情報が削除された後のヘッダ情報６０を示す。ヘッダ情報６０において、特定文字集合６１は、画像サーバ３０が対応可能な文字集合である「空欄（英数字）」に変更されている。また、ヘッダ情報６０において、画像サーバ３０が対応不可能な文字集合で記述されていた、患者名の漢字表記部分６２、患者コメント６３、検査記述６４が削除されている（ｎｕｌｌ化）。
【００６６】
次に、制御部２１により、図３（ｂ）に示すように、オーバーレイデータが、ヘッダ情報から第２の文字情報が削除されたＤＩＣＯＭ画像ファイルのヘッダ情報に書き込まれる（ステップＳ６）。
次に、制御部２１により、ヘッダ情報にオーバーレイデータが書き込まれたＤＩＣＯＭ画像ファイル（編集後のＤＩＣＯＭ画像ファイル）が、通信部２４を介して画像サーバ３０に送信される（ステップＳ７）。このようにして、オーバーレイデータが、ヘッダ情報から第２の文字情報が削除されたＤＩＣＯＭ画像ファイルと対応付けられて、画像サーバ３０に送信される。
【００６７】
画像サーバ３０では、制御部３１により、通信部３４を介してモダリティ２０から編集後のＤＩＣＯＭ画像ファイルが取得され、取得された編集後のＤＩＣＯＭ画像ファイルが記憶部３６に保存される（ステップＳ８）。
次に、画像ビューア端末４０から画像サーバ３０にＤＩＣＯＭ画像ファイルの取得要求が送信されると、画像サーバ３０の制御部３１により、通信部３４を介して編集後のＤＩＣＯＭ画像ファイルが画像ビューア端末４０に送信される（ステップＳ９）。
【００６８】
画像ビューア端末４０では、制御部４１により、通信部４４を介して画像サーバ３０から編集後のＤＩＣＯＭ画像ファイルが取得される。そして、制御部４１により、取得された編集後のＤＩＣＯＭ画像ファイルに含まれる医用画像データに基づいて、表示部４３に医用画像が表示されるとともに、編集後のＤＩＣＯＭ画像ファイルに含まれるオーバーレイデータに基づいて、第１の文字情報が（画像として）オーバーレイ表示される（ステップＳ１０）。すなわち、医用画像データ（ピクセルデータ）の上層に、オーバーレイデータ（別のピクセルデータ）が重ねられて表示される。
【００６９】
図１０（ａ）は、ＤＩＣＯＭ画像ファイルに含まれる医用画像データの例であり、図１０（ｂ）は、編集後のＤＩＣＯＭ画像ファイルに含まれるオーバーレイデータの例であり、図１０（ｃ）は、医用画像上に第１の文字情報がオーバーレイ表示された状態の例である。なお、オーバーレイデータは非表示とすることもできるので、画像ビューア端末４０において、第１の文字情報をオーバーレイ表示させない状態で画像を診断することもできる。
【００７０】
以上説明したように、第１の実施の形態によれば、モダリティ２０において、ＤＩＣＯＭ画像ファイルのヘッダ情報から第１の文字情報を抽出してオーバーレイデータを生成し、ＤＩＣＯＭ画像ファイルのヘッダ情報から第２の文字情報を削除し、オーバーレイデータを、ヘッダ情報から第２の文字情報が削除されたＤＩＣＯＭ画像ファイルのヘッダ情報に書き込むことができる。そのため、後に編集後のＤＩＣＯＭ画像ファイルに基づいて医用画像を表示する際に、第１の文字情報を文字として解釈することができない装置においても、オーバーレイデータを医用画像データに重ねて表示することにより、第１の文字情報を提供することができる。したがって、文字集合が異なる装置間の連携を図ることができる。
【００７１】
また、モダリティ２０において、第１の文字情報を直接医用画像データに埋め込むのではなく、オーバーレイデータとして生成するので、必要に応じて非表示とすることができる。すなわち、オーバーレイ表示を適用しない場合には、下層の医用画像データのみを表示することができる。
また、モダリティ２０において、ＤＩＣＯＭ画像ファイルのヘッダ情報から第２の文字情報を削除するので、画像サーバ３０や画像ビューア端末４０でのエラーの発生を防ぐことができる。
【００７２】
［変形例］
第１の実施の形態では、オーバーレイデータを、ヘッダ情報から第２の文字情報が削除されたＤＩＣＯＭ画像ファイルのヘッダ情報に書き込むことにより、オーバーレイデータを、ヘッダ情報から第２の文字情報が削除されたＤＩＣＯＭ画像ファイルと対応付ける場合について説明したが、ＤＩＣＯＭ規格のＧＳＰＳ（Grayscale Softcopy Presentation State）を用いることもできる。
【００７３】
第１の文字情報に基づいてオーバーレイデータを生成する処理、ＤＩＣＯＭ画像ファイルのヘッダ情報から第２の文字情報を削除する処理については、図６のステップＳ４，Ｓ５と同様である。
モダリティ２０の制御部２１は、オーバーレイデータと、ヘッダ情報から第２の文字情報が削除されたＤＩＣＯＭ画像ファイルを特定するための情報と、を含むＧＳＰＳファイルを生成することにより、オーバーレイデータを、ヘッダ情報から第２の文字情報が削除されたＤＩＣＯＭ画像ファイルと対応付ける。
【００７４】
図１１に示すように、ＧＳＰＳファイルは、オーバーレイデータと、対応するＤＩＣＯＭ画像ファイルを特定するための情報（患者情報、検査情報、参照画像情報等）と、を含み、対応するＤＩＣＯＭ画像ファイルに含まれる医用画像データに重ねて表示されることが設定されている。
【００７５】
モダリティ２０の制御部２１は、共通の患者情報、検査情報等により対応付けられたＤＩＣＯＭ画像ファイル及びＧＳＰＳファイルを、通信部２４を介して画像サーバ３０に送信する。
【００７６】
画像サーバ３０では、共通の患者情報、検査情報等により対応付けられたＤＩＣＯＭ画像ファイル及びＧＳＰＳファイルが記憶部３６に保存される。
画像ビューア端末４０において、医用画像を参照する場合には、共通の患者情報、検査情報等により対応付けられたＤＩＣＯＭ画像ファイル及びＧＳＰＳファイルが画像サーバ３０から取得される。そして、制御部４１により、ＤＩＣＯＭ画像ファイルに含まれる医用画像データに基づいて、表示部４３に医用画像が表示されるとともに、ＧＳＰＳファイルに含まれるオーバーレイデータに基づいて、第１の文字情報が（画像として）オーバーレイ表示される。
【００７７】
ＧＳＰＳファイルによってオーバーレイデータを保存する場合には、一つのＤＩＣＯＭ画像ファイルに対して、複数のＧＳＰＳファイルを生成することができる。例えば、異なる文字集合により記述された内容を、それぞれ別のオーバーレイデータとして、同一のＤＩＣＯＭ画像ファイルと対応付けておき、医用画像に重ねて表示させるオーバーレイデータを切り替えることにより、異なる文字集合で記述された文字情報を表示することができる。また、表示させる項目（患者名、患者コメント、検査記述等）を変えて、複数のオーバーレイデータを生成することにより、表示内容を切り替えることができる。
【００７８】
［第２の実施の形態］
次に、本発明を適用した第２の実施の形態について説明する。
第２の実施の形態における医用画像システムは、第１の実施の形態に示した医用画像システム１００と同様の構成によってなるため、図１、図２、図４及び図５を援用し、その構成については図示及び説明を省略する。以下、第２の実施の形態に特徴的な構成及び処理について説明する。
【００７９】
第２の実施の形態は、ＲＩＳ１０、モダリティ２０及び画像サーバ３０については中国語が対応可能であり、画像ビューア端末４０については英数字のみ対応可能である場合等、画像サーバ３０が対応可能な文字集合と画像ビューア端末４０が対応可能な文字集合とが異なる場合の例である。
第２の実施の形態においては、画像サーバ３０が本発明に係る医用情報処理装置である。すなわち、画像サーバ３０において、オーバーレイデータが生成される。したがって、モダリティ２０では、図６のステップＳ４〜Ｓ６に示したＤＩＣＯＭ画像ファイルの編集は行われない。
【００８０】
画像サーバ３０の記憶部３６には、ＤＩＣＯＭ画像ファイルのヘッダ情報に含まれる文字情報のうち、オーバーレイ化される抽出項目（第１の文字情報として抽出される項目）が記憶されている。
また、記憶部３６には、画像ビューア端末４０が対応可能な文字集合が記憶されている。
【００８１】
画像サーバ３０の制御部３１は、通信部３４を介してモダリティ２０からＤＩＣＯＭ画像ファイルを取得し、取得したＤＩＣＯＭ画像ファイルを記憶部３６に保存する。
【００８２】
制御部３１は、記憶部３６に記憶されている抽出項目に基づいて、ＤＩＣＯＭ画像ファイルのヘッダ情報から予め定められた第１の文字情報（患者名、患者コメント、検査記述等）を抽出し、抽出された第１の文字情報に基づいて、オーバーレイデータを生成する。第１の文字情報には、少なくとも、送信先機器（画像ビューア端末４０）が対応不可能な文字集合で記述された文字情報（第２の文字情報）の一部が含まれる。また、第１の文字情報には、英数字以外の文字情報（日本語、中国語、韓国語等。ただし、画像サーバ３０が対応可能な文字集合で記述されたもの。）が含まれる。
【００８３】
制御部３１は、記憶部３６に記憶されている画像ビューア端末４０が対応可能な文字集合に基づいて、ＤＩＣＯＭ画像ファイルのヘッダ情報から送信先機器（画像ビューア端末４０）が対応不可能な文字集合で記述された第２の文字情報を削除する。
【００８４】
制御部３１は、オーバーレイデータを、ヘッダ情報から第２の文字情報が削除されたＤＩＣＯＭ画像ファイルと対応付けて送信先機器（画像ビューア端末４０）に送信する。具体的には、制御部３１は、オーバーレイデータを、ヘッダ情報から第２の文字情報が削除されたＤＩＣＯＭ画像ファイルのヘッダ情報に書き込むことにより、オーバーレイデータを、ヘッダ情報から第２の文字情報が削除されたＤＩＣＯＭ画像ファイルと対応付ける。そして、制御部３１は、ヘッダ情報にオーバーレイデータが書き込まれたＤＩＣＯＭ画像ファイル（編集後のＤＩＣＯＭ画像ファイル）を、通信部３４を介して画像ビューア端末４０に送信する。
【００８５】
次に、第２の実施の形態における医用画像システムの各装置における動作について説明する。
図１２は、ＲＩＳ１０、モダリティ２０、画像サーバ３０及び画像ビューア端末４０において実行される処理を示すラダーチャートである。画像サーバ３０における処理は、制御部３１と、ＲＯＭ３５に記憶されているプログラムとの協働によるソフトウェア処理によって実現される。
【００８６】
ステップＳ１１〜Ｓ１３の処理は、図６のステップＳ１〜Ｓ３の処理と同様であるため、説明を省略する。
次に、モダリティ２０では、制御部２１により、ＤＩＣＯＭ画像ファイルが、通信部２４を介して画像サーバ３０に送信される（ステップＳ１４）。
【００８７】
画像サーバ３０では、制御部３１により、通信部３４を介してモダリティ２０からＤＩＣＯＭ画像ファイルが取得され、取得されたＤＩＣＯＭ画像ファイルが記憶部３６に保存される（ステップＳ１５）。
【００８８】
次に、制御部３１により、記憶部３６に記憶されている抽出項目に基づいて、ＤＩＣＯＭ画像ファイルのヘッダ情報から第１の文字情報が抽出され、抽出された第１の文字情報に基づいて、オーバーレイデータが生成される（ステップＳ１６）。
【００８９】
次に、制御部３１により、記憶部３６に記憶されている画像ビューア端末４０が対応可能な文字集合に基づいて、ＤＩＣＯＭ画像ファイルのヘッダ情報から画像ビューア端末４０が対応不可能な文字集合で記述された第２の文字情報が削除される（ステップＳ１７）。
例えば、画像サーバ３０が対応可能な文字集合が「ＧＢ１８０３０（簡体字中国語他）」であって、画像ビューア端末４０が対応可能な文字集合が「空欄（英数字）」である場合に、図７に示すヘッダ情報５０から第２の文字情報として患者名の漢字表記部分５２、患者コメント５３、検査記述５４が削除され、図９に示すようなヘッダ情報６０に変更される。
【００９０】
次に、制御部３１により、オーバーレイデータが、ヘッダ情報から第２の文字情報が削除されたＤＩＣＯＭ画像ファイルのヘッダ情報に書き込まれる（ステップＳ１８）。そして、制御部３１により、ヘッダ情報にオーバーレイデータが書き込まれたＤＩＣＯＭ画像ファイル（編集後のＤＩＣＯＭ画像ファイル）が記憶部３６に保存される（ステップＳ１９）。なお、編集後のＤＩＣＯＭ画像ファイルは、ステップＳ１５において保存された編集前のＤＩＣＯＭ画像ファイルとは別のファイルとして保存される。
【００９１】
次に、画像ビューア端末４０から画像サーバ３０にＤＩＣＯＭ画像ファイルの取得要求が送信されると、画像サーバ３０の制御部３１により、通信部３４を介して編集後のＤＩＣＯＭ画像ファイルが画像ビューア端末４０に送信される（ステップＳ２０）。
【００９２】
画像ビューア端末４０では、制御部４１により、通信部４４を介して画像サーバ３０から編集後のＤＩＣＯＭ画像ファイルが取得される。そして、制御部４１により、取得された編集後のＤＩＣＯＭ画像ファイルに含まれる医用画像データに基づいて、表示部４３に医用画像が表示されるとともに、編集後のＤＩＣＯＭ画像ファイルに含まれるオーバーレイデータに基づいて、第１の文字情報が（画像として）オーバーレイ表示される（ステップＳ２１）。
【００９３】
以上説明したように、第２の実施の形態によれば、画像サーバ３０において、ＤＩＣＯＭ画像ファイルのヘッダ情報から第１の文字情報を抽出してオーバーレイデータを生成し、ＤＩＣＯＭ画像ファイルのヘッダ情報から第２の文字情報を削除し、オーバーレイデータを、ヘッダ情報から第２の文字情報が削除されたＤＩＣＯＭ画像ファイルのヘッダ情報に書き込むことができる。そのため、後に編集後のＤＩＣＯＭ画像ファイルに基づいて医用画像を表示する際に、第１の文字情報を文字として解釈することができない装置においても、オーバーレイデータを医用画像データに重ねて表示することにより、第１の文字情報を提供することができる。したがって、文字集合が異なる装置間の連携を図ることができる。
【００９４】
また、画像サーバ３０において、第１の文字情報を直接医用画像データに埋め込むのではなく、オーバーレイデータとして生成するので、必要に応じて非表示とすることができる。
また、画像サーバ３０において、ＤＩＣＯＭ画像ファイルのヘッダ情報から第２の文字情報を削除するので、画像ビューア端末４０において、エラーにならずに医用画像を表示することができる。
【００９５】
なお、第２の実施の形態における画像サーバ３０においても、上記変形例（図１１参照）のように、オーバーレイデータと、ヘッダ情報から第２の文字情報が削除されたＤＩＣＯＭ画像ファイルを特定するための情報と、を含むＧＳＰＳファイルを生成することにより、オーバーレイデータを、ヘッダ情報から第２の文字情報が削除されたＤＩＣＯＭ画像ファイルと対応付けることとしてもよい。
【００９６】
第１の文字情報に基づいてオーバーレイデータを生成する処理、ＤＩＣＯＭ画像ファイルのヘッダ情報から第２の文字情報を削除する処理については、図１２のステップＳ１６，Ｓ１７と同様である。
画像サーバ３０の制御部３１は、オーバーレイデータと、ヘッダ情報から第２の文字情報が削除されたＤＩＣＯＭ画像ファイルを特定するための情報（患者情報、検査情報、参照画像情報等）と、を含むＧＳＰＳファイルを生成することにより、オーバーレイデータを、ヘッダ情報から第２の文字情報が削除されたＤＩＣＯＭ画像ファイルと対応付ける。そして、制御部３１は、共通の患者情報、検査情報等により対応付けられたＤＩＣＯＭ画像ファイル及びＧＳＰＳファイルを、通信部３４を介して画像ビューア端末４０に送信する。
【００９７】
画像ビューア端末４０において、医用画像を参照する場合には、共通の患者情報、検査情報等により対応付けられたＤＩＣＯＭ画像ファイル及びＧＳＰＳファイルが画像サーバ３０から取得される。そして、制御部４１により、ＤＩＣＯＭ画像ファイルに含まれる医用画像データに基づいて、表示部４３に医用画像が表示されるとともに、ＧＳＰＳファイルに含まれるオーバーレイデータに基づいて、第１の文字情報が（画像として）オーバーレイ表示される。
【００９８】
［第３の実施の形態］
次に、本発明を適用した第３の実施の形態について説明する。
第３の実施の形態における医用画像システムは、第１の実施の形態に示した医用画像システム１００と同様の構成によってなるため、図１、図２、図４及び図５を援用し、その構成については図示及び説明を省略する。以下、第３の実施の形態に特徴的な構成及び処理について説明する。
【００９９】
第３の実施の形態は、ＲＩＳ１０、モダリティ２０及び画像サーバ３０については英数字のみ対応可能であり、画像ビューア端末４０については中国語が対応可能である場合等、画像サーバ３０が対応可能な文字集合と画像ビューア端末４０が対応可能な文字集合とが異なる場合の例である。
第３の実施の形態においては、画像ビューア端末４０が本発明に係る医用情報処理装置である。すなわち、画像ビューア端末４０において、オーバーレイデータが生成される。したがって、モダリティ２０では、図６のステップＳ４〜Ｓ６に示したＤＩＣＯＭ画像ファイルの編集は行われず、画像サーバ３０では、図１２のステップＳ１６〜Ｓ１８に示したＤＩＣＯＭ画像ファイルの編集は行われない。
【０１００】
画像ビューア端末４０の記憶部４６には、画像サーバ３０が対応可能な文字集合が記憶されている。
【０１０１】
画像ビューア端末４０の制御部４１は、通信部４４を介して画像サーバ３０からＤＩＣＯＭ画像ファイルを取得し、取得したＤＩＣＯＭ画像ファイルを記憶部４６に保存する。
【０１０２】
制御部４１は、操作部４２から入力された文字情報（画像コメント等）に基づいて、オーバーレイデータを生成する。操作部４２から入力された文字情報には、送信先機器（画像サーバ３０）が対応不可能な文字集合で記述された文字情報が含まれる。また、操作部４２から入力された文字情報には、英数字以外の文字情報（日本語、中国語、韓国語等。ただし、画像ビューア端末４０が対応可能な文字集合で記述されたもの。）が含まれる。
【０１０３】
制御部４１は、オーバーレイデータをＤＩＣＯＭ画像ファイルと対応付けて送信先機器（画像サーバ３０）に送信する。具体的には、制御部４１は、オーバーレイデータをＤＩＣＯＭ画像ファイルのヘッダ情報に書き込むことにより、オーバーレイデータをＤＩＣＯＭ画像ファイルと対応付ける。そして、制御部４１は、ヘッダ情報にオーバーレイデータが書き込まれたＤＩＣＯＭ画像ファイル（編集後のＤＩＣＯＭ画像ファイル）を、通信部４４を介して画像サーバ３０に送信する。
【０１０４】
次に、第３の実施の形態における医用画像システムの各装置における動作について説明する。
図１３は、ＲＩＳ１０、モダリティ２０、画像サーバ３０及び画像ビューア端末４０において実行される処理を示すラダーチャートである。画像ビューア端末４０における処理は、制御部４１と、ＲＯＭ４５に記憶されているプログラムとの協働によるソフトウェア処理によって実現される。
【０１０５】
ステップＳ３１〜Ｓ３５の処理は、図１２のステップＳ１１〜Ｓ１５の処理と同様であるため、説明を省略する。
次に、画像ビューア端末４０から画像サーバ３０にＤＩＣＯＭ画像ファイルの取得要求が送信されると、画像サーバ３０の制御部３１により、通信部３４を介してＤＩＣＯＭ画像ファイルが画像ビューア端末４０に送信される（ステップＳ３６）。
【０１０６】
画像ビューア端末４０では、制御部４１により、通信部４４を介して画像サーバ３０からＤＩＣＯＭ画像ファイルが取得され（ステップＳ３７）、取得されたＤＩＣＯＭ画像ファイルに基づいて、表示部４３に医用画像が表示される（ステップＳ３８）。
【０１０７】
ここで、医師により医用画像の読影が行われ、操作部４２から診断結果等が入力される。例えば、画像コメント（ＤＩＣＯＭタグ（００２０，４０００）Image Commentsに対応する内容）として、画像を見て気になったことが入力される。そして、制御部４１により、操作部４２から入力された文字情報に基づいて、オーバーレイデータが生成される（ステップＳ３９）。入力された文字情報は、表示部４３の医用画像上に表示される。
【０１０８】
次に、制御部４１により、オーバーレイデータがＤＩＣＯＭ画像ファイルのヘッダ情報に書き込まれる（ステップＳ４０）。そして、制御部４１により、ヘッダ情報にオーバーレイデータが書き込まれたＤＩＣＯＭ画像ファイル（編集後のＤＩＣＯＭ画像ファイル）が、通信部４４を介して画像サーバ３０に送信される（ステップＳ４１）。
【０１０９】
画像サーバ３０では、制御部３１により、通信部３４を介して画像ビューア端末４０から編集後のＤＩＣＯＭ画像ファイルが取得され、取得された編集後のＤＩＣＯＭ画像ファイルが記憶部３６に保存される（ステップＳ４２）。なお、編集後のＤＩＣＯＭ画像ファイルは、ステップＳ３５において保存された編集前のＤＩＣＯＭ画像ファイルとは別のファイルとして保存される。
【０１１０】
その後、画像ビューア端末４０や他の画像ビューア端末から、画像サーバ３０に保存されている編集後のＤＩＣＯＭ画像ファイルが参照される際には、編集後のＤＩＣＯＭ画像ファイルに含まれる医用画像データに基づいて、医用画像が表示されるとともに、編集後のＤＩＣＯＭ画像ファイルに含まれるオーバーレイデータに基づいて、画像ビューア端末４０において入力された文字情報が（画像として）オーバーレイ表示される。すなわち、画像ビューア端末４０の文字集合に対応していない画像ビューア端末からも、画像ビューア端末４０において入力された文字情報を参照することができる。
【０１１１】
以上説明したように、第３の実施の形態によれば、画像ビューア端末４０において、操作部４２から入力された文字情報に基づいてオーバーレイデータを生成し、オーバーレイデータをＤＩＣＯＭ画像ファイルのヘッダ情報に書き込むことができる。そのため、後に編集後のＤＩＣＯＭ画像ファイルに基づいて医用画像を表示する際に、画像ビューア端末４０において入力された文字情報を文字として解釈することができない装置においても、オーバーレイデータを医用画像データに重ねて表示することにより、画像ビューア端末４０において入力された文字情報を提供することができる。したがって、文字集合が異なる装置間の連携を図ることができる。
【０１１２】
また、画像ビューア端末４０において、操作部４２から入力された文字情報を直接医用画像データに埋め込むのではなく、オーバーレイデータとして生成するので、必要に応じて非表示とすることができる。
【０１１３】
なお、第３の実施の形態における画像ビューア端末４０においても、上記変形例（図１１参照）のように、オーバーレイデータと、ＤＩＣＯＭ画像ファイルを特定するための情報と、を含むＧＳＰＳファイルを生成することにより、オーバーレイデータをＤＩＣＯＭ画像ファイルと対応付けることとしてもよい。
【０１１４】
入力された文字情報に基づいてオーバーレイデータを生成する処理については、図１３のステップＳ３９と同様である。
画像ビューア端末４０の制御部４１は、オーバーレイデータとＤＩＣＯＭ画像ファイルを特定するための情報（患者情報、検査情報、参照画像情報等）と、を含むＧＳＰＳファイルを生成することにより、オーバーレイデータをＤＩＣＯＭ画像ファイルと対応付ける。そして、制御部４１は、共通の患者情報、検査情報等により対応付けられたＤＩＣＯＭ画像ファイル及びＧＳＰＳファイルを、通信部４４を介して画像サーバ３０に送信する。
【０１１５】
画像ビューア端末４０や他の画像ビューア端末において、医用画像を参照する場合には、共通の患者情報、検査情報等により対応付けられたＤＩＣＯＭ画像ファイル及びＧＳＰＳファイルが画像サーバ３０から取得される。そして、ＤＩＣＯＭ画像ファイルに含まれる医用画像データに基づいて、医用画像が表示されるとともに、ＧＳＰＳファイルに含まれるオーバーレイデータに基づいて、画像ビューア端末４０において入力された文字情報が（画像として）オーバーレイ表示される。
【０１１６】
なお、上記各実施の形態における記述は、本発明に係る医用情報処理装置の例であり、これに限定されるものではない。装置を構成する各部の細部構成及び細部動作に関しても本発明の趣旨を逸脱することのない範囲で適宜変更可能である。
【０１１７】
例えば、オーバーレイ化される文字情報は、上記の項目に限定されず、患者ＩＤ、受付番号、検査コメント、シリーズ記述等であってもよい。
【０１１８】
以上の説明では、各処理を実行するためのプログラムを格納したコンピュータ読み取り可能な媒体としてＲＯＭを使用した例を開示したが、この例に限定されない。その他のコンピュータ読み取り可能な媒体として、フラッシュメモリ等の不揮発性メモリ、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１９】
１０  ＲＩＳ
２０  モダリティ
２１  制御部
２２  操作部
２３  表示部
２４  通信部
２５  ＲＯＭ
２６  記憶部
２７  撮影部
２８  バス
３０  画像サーバ
３１  制御部
３２  操作部
３３  表示部
３４  通信部
３５  ＲＯＭ
３６  記憶部
３７  バス
４０  画像ビューア端末
４１  制御部
４２  操作部
４３  表示部
４４  通信部
４５  ＲＯＭ
４６  記憶部
４７  バス
１００  医用画像システム
Ｎ  通信ネットワーク
【図１】
2012183203.tif 000003
【図２】
2012183203.tif 000004
【図３】
2012183203.tif 000005
【図４】
2012183203.tif 000006
【図５】
2012183203.tif 000007
【図６】
2012183203.tif 000008
【図７】
2012183203.tif 000009
【図８】
2012183203.tif 000010
【図９】
2012183203.tif 000011
【図１０】
2012183203.tif 000012
【図１１】
2012183203.tif 000013
【図１２】
2012183203.tif 000014
【図１３】
2012183203.tif 000015